(57)【要約】【課題】  ＨＤＤの暗号化が設定された状態で、秘匿性を保ったまま文書を重連コピーする場合には、インターネットの暗号化に依らず、重連を行う装置間で所定の通信によって、ワンタイム暗号キーとその暗号キーで暗号化されたデータを用いて、暗号化して送ることを可能にする発明が提案されている。この構成では、複数の相手機で暗号キーのビット長や暗号方式が異なる場合にそのまま適応できない、という問題が生じる。【解決手段】  これを解決するために、暗号化される前の元データをメモリ上に保持し、複数の暗号画像を作成した後に削除する、という構成を取る。【選択図】  図１５
2007036707.tif 000002
【特許請求の範囲】
【請求項１】
ネットワークまたは専用線を介して一つまたは複数の受信先に、データを暗号化して送信する画像通信システムであって、
暗号化方式およびキーデータ長からなる個別暗号化情報を送信元と受信先が特定の手順を踏んで設定・共有する個別暗号化情報共有手段と、
送信元では、個別暗号化情報の暗号キーデータと指定暗号化方式とを、受信先に関連付けて記憶する個別暗号化情報記憶手段と、
原稿を読み取り走査しイメージ情報を生成するする走査手段と、
読み取ったイメージ情報に入力フィルタ・マスキング／トリミング／ネガポジ反転、斜体、鏡像、リピート等の様々な入力画像処理を施す入力画像処理手段と、
前記入力画像処理手段によって、形成された入力画像データを一次記憶に保持する一次画像処理データ保持手段と、
前記一次画像データ保持手段によって、保持された画像データに、色空間変換処理、二値化処理、移動、回転、変倍、符号変換等のメモリ上での画像変換を施す二次画像処理手段と、
前記一次画像データや二次画像処理データを前記個別暗号化情報に応じて暗号化して、二次記憶に保持する暗号化画像データ保持手段と、
オペレータが宛先毎および/または宛先毎に、暗号化して画像通信するか、暗号化せずに画像通信するか設定することができる暗号化送信設定手段と、
前記暗号化送信設定手段および個別暗号化情報記憶手段に応じて、読み取った一次画像処理データに対して、宛先数分の暗号化画像データを形成したタイミングで、一次画像処理データまたは二次画像処理データを開放する、画像処理データ開放手段と、
を有することを特徴とする画像通信システム。
【請求項２】
請求項１のシステムであって、
前記暗号化送信設定手段は、さらに同期送信するか否かを設定することができ、
同期送信する際には、全宛先に送信が正常に完了するまで一次画像処理データまたは二次画像処理データを保持し、送信が正常に終了したタイミングで、一次画像処理データまたは二次画像処理データを開放する、画像処理データ開放手段と、
を有することを特徴とする画像通信システム。
【発明の詳細な説明】
【技術分野】
【０００１】
本願発明は、画像入力機能、画像処理機能、画像通信機能を有した、複写機やインターネットファクス装置などの画像通信システムに関するものである。
【背景技術】
【０００２】
これまで、複数の複写機をネットワーク等で接続し、一方で読み取った画像を、複数の機械に出力することで単位時間あたりの出力枚数を増加させる、ネットワーク重連(タンデム)コピーや、一方で読み取った画像をイントラネット上の遠隔の複数の機器に出力することで、画像配布することが可能な、イントラネットファクスやリモートコピーといった機能を持つネットワーク複合機が提案されている。
【０００３】
一方で昨今のセキュリティ意識の向上により、複写機内で画像データを暗号化して保持し、二次記憶装置を持ち出されても画像データで復元できないようにする暗号化コピー機能の要求が高まっている。暗号化コピー機能を有効にした場合で、リモート・重連コピーを行う際には、送信路上では暗号を掛けないで、機内で暗号化された画像をそのまま送信するか、機内での画像には暗号を掛けないで、送信路上で、公開キー・秘密キー等を用いて暗号化する方法がある。
【０００４】
又、従来例としては、例えば特許文献１と特許文献２をあげることが出来る。
【特許文献１】特開2000-19961号公報
【特許文献２】特開2001-242750号公報
【発明の開示】
【発明が解決しようとする課題】
【０００５】
機内で暗号化した画像を送信路上では暗号を掛けないで送信するためには、送信元と受信先が同じ暗号方式、同じ鍵を持つことが前提になるが、機器毎に暗号方式、暗号鍵または暗号鍵長を設定できないため、セキュリティホールになってしまうという問題がある。
【０００６】
一方機内での画像には暗号を掛けないで、送信路上で、公開キー・秘密キー等を用いて暗号化する方法では、送信元でも重連コピーの出力を担当する場合に、送信元が受信元となり、暗号化通信を行わなければならず、コピー画像データのような数十ＭＢのデータとなると、ネットワークや装置にかかる負荷が大きな問題になる。
【０００７】
本発明は、上述の課題に鑑みてなされたものであり、その目的とするところは、暗号化される前の元データを特定の条件まで一次メモリ上に保持し、複数の暗号画像を作成したまたは送信が成功した後に削除する、という構成を取ることで、セキュリティに配慮した上で、ネットワークや装置にかかる負荷が軽減させ、単位時間当たりの出力数を最適にすることが可能な画像通信システムを提供することにある。
【課題を解決するための手段】
【０００８】
上記問題を解決するために、請求項１記載の発明は、ネットワークまたは専用線を介して一つまたは複数の受信先に、データを暗号化して送信する画像通信システムであって、暗号化方式およびキーデータ長からなる個別暗号化情報を送信元と受信先が特定の手順を踏んで設定・共有する個別暗号化情報共有手段と、送信元では、個別暗号化情報の暗号キーデータと指定暗号化方式とを、受信先に関連付けて記憶する個別暗号化情報記憶手段と、原稿を読み取り走査しイメージ情報を生成するする走査手段と、読み取ったイメージ情報に入力フィルタ・マスキング／トリミング／ネガポジ反転、斜体、鏡像、リピート等の様々な入力画像処理を施す入力画像処理手段と、前記入力画像処理手段によって、形成された入力画像データを一次記憶に保持する一次画像処理データ保持手段と、前記一次画像データ保持手段によって、保持された画像データに、色空間変換処理、二値化処理、移動、回転、変倍、符号変換等のメモリ上での画像変換を施す二次画像処理手段と、前記一次画像データや二次画像処理データを前記個別暗号化情報に応じて暗号化して、二次記憶に保持する暗号化画像データ保持手段と、オペレータが宛先毎および/または宛先毎に、暗号化して画像通信するか、暗号化せずに画像通信するか設定することができる暗号化送信設定手段と、前記暗号化送信設定手段および個別暗号化情報記憶手段に応じて、読み取った一次画像処理データに対して、宛先数分の暗号化画像データを形成したタイミングで、一次画像処理データまたは二次画像処理データを開放する、画像処理データ開放手段と、を有することを特徴としている。
【０００９】
また、請求項2記載の発明は、請求項1記載の画像形成装置において、前記暗号化送信設定手段は、さらに同期送信するか否かを設定することができ、同期送信する際には、全宛先に送信が正常に完了するまで一次画像処理データまたは二次画像処理データを保持し、送信が正常に終了したタイミングで、一次画像処理データまたは二次画像処理データを開放する、画像処理データ開放手段と、を有することを特徴としている。
【発明の効果】
【００１０】
本発明によれば、送信装置からネットワークを介して複数の受信装置に画像データを暗号化して送信する際に、宛先毎に異なる暗号方式、鍵データ、鍵長で暗号化された画像データを送信するか否かを設定することができ、暗号化される前の元データを特定の条件まで一次メモリ上に保持し、複数の暗号画像を二次記憶に作成した、または送信が成功した後に削除する、という構成を取ることで、セキュリティに配慮した上で、ネットワークや装置にかかる負荷が軽減させ、単位時間当たりの出力数を最適にすることが可能な画像通信システムを提供することが可能となる。
【発明を実施するための最良の形態】
【００１１】
以下、本発明にかかる一実施形態について、図面を参照して詳細に説明する。
【００１２】
図１は、本発明の実施例を示す画像通信システムの全体の構成を説明するブロック図である。本画像形成装置200は、画像入力デバイスであるスキャナ部2070、画像出力デバイスであるプリンタ部2095、Controller Unit 2000、ユーザーインターフェースである操作部2012から構成される。スキャナ部2070、プリンタ部2095、操作部2012は、それぞれController Unit 2000に接続され、Controller Unit 2000は、LAN 2011などのネットワーク伝送手段、公衆回線に接続されている。公衆回線からはカラー画像送信を含むG3、G4ファックスによる送信が可能である。また、LAN 2011には、画像形成装置200と同様の機器構成をもつ他の画像形成装置220、230が接続されえている。また、パーソナルコンピュータ（以下PC）240が接続されていて、FTP,SMBプロトコルを使用したファイルの送受信、電子メールの送受信ができる。画像形成装置220、230は、それぞれスキャナ部2270、2370、プリンタ部2295、2395、操作部2212、2312を持ち、それらがController Unit 2200、2300に接続されている。
【００１３】
図２は、画像形成装置の構成を説明するブロック図である。Controller Unit 2000は画像入力デバイスであるカラースキャナ2015や画像出力デバイスであるカラープリンタ2017と接続し、一方ではLAN2008や公衆回線(WAN)2051接続することで、画像情報やデバイス情報の入出力を行う為のコントローラである。CPU2001はシステム全体を制御するコントローラである。RAM2002はCPU2001が動作するためのシステムワークメモリであり、画像データを一時記憶するための画像メモリでもある。ROM2003はブートROMであり、システムのブートプログラムが格納されている。HDD2004はハードディスクドライブで、システムソフトウェア、画像データを格納する。操作部I/F2005は操作部(UI)2006とインターフェース部で、操作部2006に表示する画像データを操作部2006に対して出力する。また、操作部2006から本システム使用者が入力した情報を、CPU2001に伝える役割をする。Network2007はLAN2008に接続し、情報の入出力を行う。Modem2050は公衆回線2051に接続し、画像情報の入出力を行う。2値画像回転2052、および2値画像圧縮・伸張2053はModem2053で2値画像を送信する前に画像の方向を変換したり、所定の解像度、あるいは相手能力に合わせた解像度に変換するためのものである。圧縮、伸張はJBIG、MMR、MR、MH をサポートしている。DMAC2009はDMAコントローラであり、RAM2002に格納されている画像をCPU2001を介することなく読み取りImageBusI/F2011に対して画像転送する、もしくは画像バスからの画像をCPU2001を介することなくRAM2002に書き込む。以上のデバイスがシステムバス2008に接続される。ImageBus2011は画像バス2010を介して高速な画像の入出力を制御するためのインタフェースである。圧縮器2012は画像バス2010に画像を送出する前に３２画素x３２画素の単位でJPEG圧縮するための圧縮器である。伸張器2013は画像バス2010を介して送られた画像を伸張するための伸張器である。
【００１４】
ラスターイメージプロセッサ(RIP)2018はホストコンピュータからのPDLコードをNetwork2007を介して受け取り、システムバス2008を通して、CPU2001がRAM2002に格納する。CPU2001はPDLを中間コードに変換し、再度システムバス2008を介してRIP2018に入力し、ビットマップイメージ（多値）に展開する。スキャナ画像処理2014はスキャナ2015からのカラー画像、白黒画像に対して、適切な各種画像処理（たとえば補正、加工、編集）を行い出力する（多値）。同様にプリンタ画像処理2016はプリンタ2017に対して適切な各種画像処理（たとえば補正、加工、編集）を行うプリント時は伸張2013で2値多値変換を行うので、2値、および多値出力が可能である。画像変換部2030はRAM上にある画像を画像変換し、再度、RAM2030に下記戻すときに使われる各種画像変換機能を有する。回転器2019は32画素×32画素単位の画像を指定された角度で回転でき、2値、および多値の入出力に対応している。変倍器2020は画像の解像度を変換（たとえば600dpiから200dpi）したり、変倍したりする機能（たとえば25%から400%まで）を有する。変倍する前には32×32画素の画像を32ライン単位の画像に並び替える。色空間変換2021は多値入力された画像をマトリクス演算、およびLUTにより、たとえばメモリ上にあるYUV画像をLab画像に変換し、メモリ上に格納する。また、この色空間変換は3×8のマトリクス演算および、1次元LUTをもち、公知の下地とばしや裏写り防止を行うことができる。変換された画像は多値で出力される。2値多値変換2022は1bit2値画像を多値8bit、256階調にする。逆に多値2値変換2025はたとえばメモリ上にある8bit、256階調の画像を誤差拡散処理などの手法により1bit、2階調に変換し、メモリ上に格納する。合成はメモリ上の2枚の多値画像画像を合成し、1枚の多値画像にする機能を有する。たとえば、メモリ上にある会社ロゴの画像と原稿画像を合成することで、原稿画像に簡単に会社ロゴをつけることができる。間引き2024は多値画像の画素を間引くことで、解像度変換を行うユニットであり1/2,1/4,1/8の多値画像を出力可能である。変倍2020と合わせて使うことで、より広範囲な拡大、縮小を行うことができる。移動2025は入力された2値画像、多値画像に余白部分をつけたり、余白部分を削除したりして出力することができる。回転2019、変倍2020、色空間変換2021、2値多値2022、合成2023、間引き2024、移動2025、多値2値2026ははそれぞれ連結して動作することが可能で、たとえばメモリ上の多値画像を画像回転、解像度変換する場合は、両処理をメモリを介さずに連結して行うことができる。
【００１５】
図３に画像の形式を示す。本発明で使用される画像の形式は特開2001-103473で開示されている画像パケット構造を利用する。圧縮2012ではラスター形式の画像を、図３のごとく32x32画素単位のパケットとして並び替え、パケット単位でJPEG圧縮を行う。同時にパケットにパケットの位置を示すID、色空間、QテーブルID、データ長などの情報を付加してヘッダーとする。文字、写真を示す2値のデータ（像域フラグ）も同様に圧縮して、JPEGの後ろに付随させる。図４にパケットデータを示す。伸張2013ではこのヘッダー情報をもとにJPEGを展開し、ラスター画像に並び替える。このようなパケット画像にすることで、画像回転のときにはパケット内部の画像のみを回転し、パケットIDの位置を変更することで、部分的に伸張圧縮で回転することができるため非常に効率がよい。ImageBus2010を流れる画像はすべてパケット画像になる。
【００１６】
また、画像をメモリ上で扱う場合には、パケットテーブルを用いる。パケットテーブルは1要素が1つのパケットの先頭アドレスとサイズになっており、これを主走査、副走査に並べることにより一つの画像を示している。パケットテーブルを用いることにより、画像を構成するパケットがメモリ上で離散的に配置されている場合でも一つの画像として扱うことが可能になる。
【００１７】
FAX送信や2値画像回転2052、2値画像圧縮、伸張2053などでラスタ画像が必要な場合は、パケット画像からラスタ画像への変換をソフトウェアによって行う。
【００１８】
図５にスキャナ画像処理2014の詳細説明を示す。スキャナから入力されたRGB各8bitの輝度信号はマスキング2501によりCCDのフィルタ色に依存しない標準的なRGB色信号に変換される。フィルタ2502ではたとえば9x9のマトリクスを使用し、画像をぼかしたり、メリハリをつける処理が行われる。ヒストグラム2503は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のRGBデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやHDDに保存、管理され、印刷や送信時の画像処理に使用される。ガンマ2504では画像全体の濃度を濃くあるいは薄くするように処理が行われる。たとえば入力画像の色空間を任意の色空間に変換したり、入力系の色味に関する補正処理を行う部分である。原稿がカラーか白黒かを判断するために変倍前の画像信号を色空間変換2505によって公知のLabに変換する。このうちa,bは色信号成分を表しており、比較器2505内の所定のレベル以上であれば有彩色、そうでなければ無彩色として1bitの判定信号を比較器2505から出力する。カウンタ2507は比較器からの出力を計測する。文字／写真判定は画像から文字エッジを抽出し、画像を文字と写真に分離する機能である。出力として、文字写真判定信号が得られる。この信号も画像とともにメモリやＨＤに格納され、印刷時に使用される。2509は特定原稿判定器である。特定原稿判定器は入力画像信号と、判定器内部で持つパターンがどの程度一致するかを比較し、図示したように一致、不一致という判定結果を読み出すことが可能である。判定結果に応じて、画像を加工し、紙幣や有価証券などの偽造を防止する。
【００１９】
図６にプリンタ画像処理2016の詳細説明を示す。
【００２０】
2601は画像データの地色を飛ばし、不要な下地のカブリ除去を行う。例えば、３×８のマトリクス演算や、１次元ＬＵＴにより下地飛ばしを行う。これは前述したように2032にも含まれる機能であり、まったく同等の回路である。2602はカラー画像データをモノクロデータに変換し、単色としてプリントする際に、カラー画像データ、例えばＲＧＢデータを、Ｇｒａｙ単色に変換するモノクロ生成部である。例えば、ＲＧＢに任意の定数を掛け合わせ、Ｇｒａｙ信号とする１×３のマトリクス演算から構成される。2603は画像データを出力するプリンター部の特性に合わせて色補正を行う出力色補正部である。例えば、４×８のマトリクス演算や、ダイレクトマッピングによる処理から構成される。2604は画像データの空間周波数を任意に補正するフィルタ処理部であり、例えば９×９のマトリクス演算を行う処理から構成される。2605は出力するプリンタ部の特性に合わせて、ガンマ補正を行う処理であり、通常1次元のＬＵＴから構成される。2606は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。ドラム間遅延メモリ2607はCMYKの各色のドラムを持つカラープリンタにおいて、CMYKの印字タイミングをドラム間分ずらすことで、CMYK画像を重ね合わせるためのメモリである。CMYK各色４ドラムを持つカラープリンタにおいて画像の位置を合わせるために遅延させることができる。
【００２１】
画像入出力デバイスを図７に示す。画像入力デバイスであるスキャナ部2015は、原稿となる紙上の画像を照明し、CCDラインセンサ(図示せず)を走査することで、ラスターイメージデータとして電気信号に変換する。原稿用紙は原稿フィーダ2701のトレイ2702にセットし、装置使用者が操作部2006から読み取り起動指示することにより、コントローラCPU2001がスキャナ2015に指示を与え、フィーダ2071のトレイ2702から原稿用紙を1枚ずつフィードし原稿画像の読み取り動作を行う。
【００２２】
画像出力デバイスであるプリンタ部2017は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラCPU2001からの指示によって開始する。プリンタ部2095には、異なる用紙サイズまたは異なる用紙向きを選択できるように複数の給紙段を持ち、それに対応した用紙カセット2703、2704、2705がある。また、排紙トレイ2706は印字し終わった用紙を受ける排紙トレイである。
【００２３】
操作部2006の構成を図８に示す。LCD表示部2801は、LCD上にタッチパネルシート2802が貼られており、システムの操作画面およびソフトキーを表示するとともに、表示してあるキーが押されるとその位置情報をコントローラCPU2001に伝える。スタートキー2014は原稿画像の読み取り動作を開始する時などに用いる。スタートキー2803中央部には、緑と赤の2色LED2804があり、その色によってスタートキー2803が使える状態にあるかどうかを示す。ストップキー2805は稼働中の動作を止める働きをする。IDキー2806は、使用者のユーザーIDを入力する時に用いる。リセットキー2807は操作部からの設定を初期化する時に用いる。
【００２４】
図９は、本実施例の画像形成装置における初期画面であり、各画像形成機能設定後に戻ってくる標準画面でもある。3101はコピー設定を行うための画面切り替えを行う。3102はスキャンした画像をファックスや電子メールで送信する設定を行うための画面切り替えを行う。3103は内蔵HDDにスキャン画像、PDL画像を格納する、あるいは格納されたスキャン画像、PDL画像を印字、あるいは送信する、あるいは編集する設定を行うための画面切り替えを行う。3104は3105のよって設定された画像読み込み時の設定を表示するためのウィンドウである。3105は画像読み込み時の解像度、濃度などを設定する。3106はタイマー送信時のタイマー設定、HDDあるいはプリンタに印字する場合の設定などを行う。3107は3108によって指定された送信宛先の表示を行う。3109は3107に表示された１宛先の詳細な情報の表示を行う。3110は3107に表示された１宛先の消去を行う。
【００２５】
図１０は3105を押下したときに表示されるポップアップウィンドウである。3201は読みとり原稿サイズをポップアップのなかから選択入力し、設定された読みとりサイズは3202に表示される。3203は原稿の読み取りモードを選択するところであり、押下するとカラー/ブラック/自動(ACS)の３種類が選択できる。カラーモードに関してはコピー、ボックスでも同様に選択ができる。カウンタ2507の計測結果が所定値よりも小さければ白黒原稿、大きければカラー原稿と判断し、カラーの場合はカラー画像を、ブラックの場合には白黒画像を、ACSの場合にはカラー画像と原稿がカラーか白黒かを判別した結果を蓄積する。3204は読みとりの解像度を指定するためポップアップからの選択入力になる。3205は原稿の読み取り濃度を調整するためのスライダーであり、９段階の調整が行える。3206は新聞のように下地がかぶった画像を読み込む場合に、濃度を自動的に決定するためにある。3206についてはコピーでも同様の設定が可能である。
【００２６】
図１１にコピータブ3101を押下したときの画面を示す。3301はコピーできる状態が否かを示すところであり、同時に設定したコピー部数も表示される。3302は3206と同等の機能であり、下地除去を自動的にするかしないかを選択するためのボタンである。3303は3205と同等の機能であり、9段階の濃度調整が可能なスライダである。3304は原稿のタイプを選択するところであり、文字・写真・地図、文字、印画紙写真、印刷写真が選択できる。3305は応用モードボタンであり、縮小レイアウト（複数枚の原稿を1枚の用紙に縮小印字する機能）や、カラーバランス（CMYKの各色微調整）などが設定できる。3306は各種フィニッシングにかかわる設定を行うボタンであり、シフトソート、ステープルソート、グループソートが設定できる。3307は両面読み込み、および、両面印刷にかかわる設定を行うボタンである。
【００２７】
図１２にボックスタブ3103を押下したときの画面を示す。3401はHDDを論理的に区分した各フォルダを示す。フォルダにはフォルダ番号があらかじめ割り振られており、3401は０番のフォルダになる。フォルダ番号の横にはフォルダで使用しているディスク容量の割合が表示されている。また、フォルダには任意の名前をつけることができ、名前もここに表示される。3402はHDD全体の使用量が表示される。
【００２８】
図１３に3401を押下したときの画面を示す。3501および3502はフォルダに格納されている文書を示す。文書は複数のページで構成されている。3501はスキャンした文書であり、スキャン文書であることを示すアイコン表示、および、HDD使用量、さらにユーザーが任意に設定できる文書名表示を表示している。3502はPDLから格納したPDL文書であるアイコンが表示されている。アイコンを押下することで、その文書が選択されたことが反転表示によって示される。3503は選択された文書を送信するためのボタンである。3504はスキャナから原稿を読み込み、文書を生成するためのボタンである。3505はフォルダ内のすべての文書を選択するためのボタンである。3506は選択された文書を削除するためのボタンである。3507は選択された文書を印刷するためのボタンである。3508は選択された文書を編集するためのボタンである。たとえば2つの文書を選択して、結合し、1つの文書にして保存したり、特定のページを削除する機能を持っている。3509は最後に選択された文書の詳細情報を表示するためのボタンである。文書名以外にも解像度、原稿サイズ、カラーなどの情報をみることができる。
【００２９】
図１４にソフト構成図を示す。4010は表示操作部を制御するUI制御部、UI制御部からの指示を受け、コピー動作、送信動作、ボックス画面からのスキャン、プリントを実行するコピーアプリケーション部4020、送信アプリケーション部4021、BOXアプリケーション部4022がある。またネットワークアプリケーション4120からのPDLプリントデータをうけPDLプリントジョブを投入するPDLアプリケーション部4023がある。4030は機器制御部分の機器依存部分を吸収するための共通インタフェース部分、4040は共通インタフェースから受け取ったジョブ情報を整理し、下位層のドキュメント処理部に伝達するジョブマネージャである。ドキュメント処理部はローカルコピーであればスキャンマネージャ4050とプリントマネージャ4090、リモートコピーの送信ジョブ、あるいは送信ジョブであればスキャンマネージャ4050とファイルストアマネージャ4100、リモートコピーの受信ジョブであればファイルリードマネージャ4060とプリントマネージャ4090、PDLプリントではPDLマネージャ4070とプリントマネージャ4090である。各ドキュメントマネージャ間の同期とり、および各種画像処理を行うイメージマネージャ4110への画像処理の依頼はシンクマネージャ4080を介して行う。スキャン、プリント時の画像処理や画像ファイルの格納はイメージマネージャ4110が行う。
【００３０】
まずローカルコピーのソフト処理について説明する。使用者の指示によりUI制御部4010からコピー指示とともにコピーの設定がコピーアプリケーション部4020に伝わる。コピーアプリケーション部4020はUI制御部4010からの情報を共通インタフェース4030を介して、機器制御を行うジョブマネージャ4040に伝える。ジョブマネージャ4040はスキャンマネージャ4050とプリントマネージャ4090にジョブの情報を伝達する。スキャンマネージャ4050は図示しないデバイスI/F（デバイスI/Fはコントローラ2000とスキャナ2015、およびコントローラ2000とプリンタ2017を結ぶシリアルI/F）を介してスキャナ2070にスキャン要求を行う。また、同時にシンクマネージャ4080を介してイメージマネージャ4110にスキャン用の画像処理要求を出す。イメージマネージャ4110はスキャンマネージャ4050の指示に従って、スキャナ画像処理部2014の設定を行う。設定が完了したら、シンクマネージャ4080を介してスキャン準備完了を伝える。その後スキャンマネージャ4050はスキャナ2070に対してスキャンを指示する。スキャン画像転送完了は図示しないハードウェアからの割り込み信号によってイメージマネージャ4110に伝わる。イメージマネージャ4110からのスキャン完了を受けてシンクマネージャ4080はスキャン完了をスキャンマネージャ4050、プリントマネージャ4090に伝える。同時にシンクマネージャ4080はRAM2002に蓄積された圧縮画像をＨＤＤ2004にファイル化するためイメージマネージャ4110に指示する。イメージマネージャ4110は指示に従ってメモリ上の画像（文字／写真判定信号を含めて）をHDD2004に格納する。画像の付随情報として図示しないＳＲＡＭにカラー判定/白黒判定結果、下地とばしを行うための下地とばしレベル、画像入力元としてスキャン画像、色空間RGBも格納しておく。また、HDD2004への格納が終了し、スキャナ2070からのスキャン完了を受けたら、シンクマネージャ4080を介してスキャンマネージャ4050にファイル化終了を通知する。スキャンマネージャ4050はジョブマネージャ4040に対して終了通知を返し、ジョブマネージャ4040は共通インタフェース4030を介してコピーアプリケーション部4020へ返す。プリントマネージャ4090はメモリに画像が入った時点でデバイスI/Fを介して、プリンタ2095に印刷要求をだす。同時にシンクマネージャ4080にプリント画像処理要求を行う。シンクマネージャ4080はプリントマネージャ4090から要求を受けたら画像処理設定をイメージマネージャ4110に依頼する。イメージマネージャ4110は前記の画像の付随情報に従ってプリンタ画像処理部2015の設定を行い、シンクマネージャ4080を介してプリントマネージャ4090にプリント準備完了を伝える。プリントマネージャ4090はプリンタに対して印刷指示を出す。プリント画像転送完了は図示しないハードウェアからの割り込み信号によってイメージマネージャ4110に伝わる。イメージマネージャ4110からのプリント完了を受けてシンクマネージャ4080はプリント完了をプリントマネージャ4090に伝える。プリントマネージャ4090はプリンタ部からの排紙完了を受け、ジョブマネージャ4040に対して終了通知を返し、ジョブマネージャ4040は共通インタフェース4030を介してコピーアプリケーション部4020へ返す。コピーアプリケーション部4020はスキャン、プリントが終了したらジョブ終了をUI制御部に通知する。
【００３１】
リモートコピーのスキャンジョブ、送信ジョブの場合は、プリントマネージャ4090に代わってストアマネージャ4100がジョブマネージャ4040からの要求を受ける。スキャン画像をHDDに格納し終わった時点で、シンクマネージャ4080から格納完了通知を受け、それを共通インタフェース4030を介してリモートコピーならコピーアプリケーション部4020に、送信ジョブなら送信アプリケーション部4021に通知する。コピーアプリケーション部4020、送信アプリケーション4021はこの通知のあと、ネットワークアプリケーション4420に対してHDDに格納されたファイルの送信を依頼する。依頼を受けたネットワークアプリケーション4420がファイルを送信する。ネットワークアプリケーション4420はジョブ開始時にコピーアプリケーション部4020からコピーに関する設定情報を受け、それもリモート側の機器に通知する。ネットワークアプリケーション4420はリモートコピーの場合、機器固有の通信プロトコルを使用して送信を行う。また送信ジョブの場合はFTP、SMBのような標準的なファイル転送プロトコルを使用する。
【００３２】
ファックス送信する場合はファイル格納後、送信アプリケーション4021から共通インタフェース4030、ジョブマネージャ4040を介してFAXマネージャ4041に送信が指示される。FAXマネージャ4041はModem2050を介して、相手機器とネゴシエーションし、必要な画像処理（カラー->白黒変換、多値2値変換、回転、変倍）をイメージマネージャ4110に依頼し、変換後の画像をModemを使って送信する。
【００３３】
また、送信先にプリンタがある場合、送信アプリケーションは共通インタフェース4000を介してプリントジョブとしてプリントの指示を行う。そのときの動作は以下で説明するリモートコピーのプリントジョブの場合と同様である。また、送信宛先が機器内のボックス宛先になっているときはファイルストアマネージャ4100によって機器内のファイルシステムに格納する。
【００３４】
FAX受信時はFAXマネージャがModemを使って画像を受信し、画像ファイルとしてHDD2004に格納する。HDD2004格納後にボックスアプリケーション4021に通知すると、ボックスアプリケーション4021から受信プリントの指示が共通インタフェース4030を介して、ジョブマネージャ4040になされる。その後は通常のボックスプリントジョブと同じ動作になるため省略する。
【００３５】
リモートコピーのプリントジョブの場合は、送信側からの画像をネットワークアプリケーション4420がHDDに保存するとともにコピーアプリケーション部4020に対してジョブを発行する。コピーアプリケーション部4020は共通インタフェース4030を介してジョブマネージャ4040にプリントジョブを投入する。ローカルコピーとは異なり、スキャンマネージャ4050に代わってファイルリードマネージャ4060がジョブマネージャ4040からの要求を受ける。受信画像をHDDからメモリに展開するための要求をシンクマネージャ4080を介して、イメージマネージャ4110に行う。イメージマネージャ4110はメモリに画像を展開する。イメージマネージャ4110は展開が終了した時点で、展開終了をシンクマネージャ4080を経由して、ファイルリードマネージャ4060とプリントマネージャ4090に伝える。プリントマネージャ4090はメモリに画像が入った時点でデバイスI/Fを介して、プリンタ2017にジョブマネージャから指示された給紙段、もしくはその用紙サイズを有する段を選択し、印刷要求をだす。自動用紙の場合には画像サイズから給紙段を決定し印刷要求をだす。同時にシンクマネージャ4080にプリント画像処理要求を行う。シンクマネージャ4080はプリントマネージャ4090から要求を受けたらプリント画像処理設定をイメージマネージャ4110に依頼する。（このときたとえば最適サイズ用紙がなくなり、回転が必要になれば別途回転指示も依頼する。回転指示があった場合にはイメージマネージャが画像回転2019を使って画像を回転する。）イメージマネージャ4110はプリンタ画像処理部2090の設定を行い、シンクマネージャ4080を介してプリントマネージャ4090にプリント準備完了を伝える。プリントマネージャ4090はプリンタに対して印刷指示を出す。プリント画像転送完了は図示しないハードウェアからの割り込み信号によってイメージマネージャ4110に伝わる。イメージマネージャ4110からのプリント完了を受けてシンクマネージャ4080はプリント完了をファイルリードマネージャ4060とプリントマネージャ4090に伝える。ファイルリードマネージャ4060は終了通知をジョブマネージャ4040に返す。プリントマネージャ4090はプリンタ部からの排紙完了を受け、ジョブマネージャ4040に対して終了通知を返す。ジョブマネージャ4040は共通インタフェース4030を介してコピーアプリケーション部4020へ終了通知を返す。コピーアプリケーション部4020はスキャン、プリントが終了したらジョブ終了をUI制御部に通知する。
【００３６】
PDLデータ展開格納ジョブの場合は、PDLプリントを投入したホストPCからの要求がネットワークアプリケーション4120を経由してPDLアプリケーション4023に伝達される。PDLアプリケーションがPDLデータ展開格納ジョブを共通インタフェース4030を介してジョブマネージャ4040に指示する。このときPDLマネージャ4070とストアマネージャ4100がジョブマネージャ4040からの要求を受ける。画像のRIPが終了した後の画像入力する部分に関しては前述のスキャンジョブと同様である。メモリ上の画像（文字／写真判定信号を含めて）をHDD2004に格納する。画像の付随情報として図示しないＳＲＡＭにカラー/白黒情報、画像入力元としてPDL画像、色空間CMYKもしくはRGBも格納しておく。PDL画像をHDD2004に格納し終わった時点で、シンクマネージャ4080から格納完了通知を受け、それを共通インタフェース4030を介してPDLアプリケーション4023に通知する。ＰＤＬアプリケーション4023はこの通知のあと、ネットワークアプリケーション4420にHDDに格納完了を通知し、PDLプリントを投入したホストPCへこの情報が伝達される。また、PDLプリントジョブの場合にはPDLマネージャ4070とプリントマネージャによって、メモリ上に展開された画像を印字する。
【００３７】
PDL展開され格納された画像のプリントはUIで印刷指示された格納文書をBOXアプリケーションに対してプリントジョブとして発行する。BOXアプリケーション部4022は共通インタフェース4030を介してジョブマネージャ4040にプリントジョブを投入する。ローカルコピーとは異なり、スキャンマネージャ4050に代わってファイルリードマネージャ4060がジョブマネージャ4040からの要求を受ける。印刷指示された画像をHDDからメモリに展開するための要求をシンクマネージャ4080を介して、イメージマネージャ4110に行う。この後の動作はリモートコピーのプリントジョブで説明した動作と同様のため、省略する。
【００３８】
図１５は、暗号化画像送信時のメモリハンドリングの説明である。従来の処理の流れでは、5000のスキャナより読み取られた画像データは一次記憶5001にページデータとして保持され、暗号5002により暗号処理を施して、二次記憶5003に蓄積される。この画像を保持しておき、画像を送信する際に、この暗号データを復号5004により、一次記憶5005に読み出し、宛先毎の個別暗号5006により暗号処理を施して、二次記憶5007に蓄積し、このファイルを読み出して送信する。また、他の宛先には、二次記憶5003の暗号データを同様に復号5009により、一次記憶5010に読み出し、宛先毎の個別暗号5011により暗号処理を施して、二次記憶5012に蓄積し、このファイルを読み出して送信する。
【００３９】
本発明では、5013のスキャナにより読み取られた画像データは一次記憶5014にページデータとして保持され、宛先毎に異なる暗号5015/5017/5019で処理され、二次記憶5016/5018/5020に暗号データを記録した後、一次記憶5014を開放する。
【００４０】
第二の構成では、5016/5018/5020を一次記憶にして保持し、送信完了した地点で、一次記憶5014および5016/5018/5020を開放する。
【００４１】
図１６は、本実施形における読み取った画像を一次記憶に保持した後の暗号化画像形成時の処理フロー図の説明である。
【００４２】
ステップ5201では渡された一次記憶上の画像データに二次画像処理を掛けて、画像データを送信用途で一次記憶上に形成する、または二次画像処理済みの画像データを二次記憶から、一次記憶上に読み出す等の処理を行う。次にステップ5202で、オペレータからの暗号送信モードが指示されているか否かを判断する。暗号送信モードでない場合には、ステップ5211に進み、画像データ暗号処理を終了し、データをそのまま送信する。一方で暗号送信モードである場合には、ステップ5203に進み、宛先数を取得する。宛先数が1以上であれば、宛先数毎の処理5204を開始する。ステップ5205において、宛先に関連づけられた暗号化方式および暗号鍵を取得し、ステップ5206にて暗号画像データを生成する。また、ステップ5207では暗号データを二次記憶に保存し、ステップ5208の宛先毎の処理を終了する。ステップ5209では全宛先数の暗号データを形成したか判断し、全宛先数処理していなければ次宛先を処理するために、ステップ5204に戻る。全宛先数の暗号データを処理済みである場合は、ステップ5210にて、元画像メモリを開放し、ステップ5211画像データ暗号処理を終了し、暗号画像データを送信する。
【００４３】
図１７は、本実施形における読み取った画像を一次記憶に保持した後の暗号化画像データの同期送信の処理フロー図の説明である。
【００４４】
前述のステップ5204からステップ5208を置き換える形で、ステップ5401からステップ5408の処理を行う。宛先毎処理5401が開始されると、ステップ5402にて宛先に関連づけられた暗号化方式および暗号鍵を取得し、ステップ5403にて暗号画像データを生成する。
【００４５】
次に、ステップ5404において、暗号データを一次記憶に保持し、ステップ5405の宛先毎に暗号化画像データの送信処理を実行する。ステップ5406では各宛先毎の暗号データを保持している一次記憶を解放し、ステップ5407に進む。ステップ5407では暗号データ送信が成功したか判断し、正常送信できた場合は、ステップ5208に進み宛先毎の処理を終了する。一方で、送信に失敗した場合は、ステップ5403に進み、再度暗号画像データを作成する。全宛先数の暗号データを送信した後、ステップ5210にて、元画像メモリを解放し、ステップ5211では、画像データ暗号送信処理を終了する。
【図面の簡単な説明】
【００４６】
【図１】画像通信システムの全体構成を示す図
【図２】画像形成装置の全体構成を示す図
【図３】パケット画像と画像全体の関係図
【図４】パケット画像の構造を示す図
【図５】本発明のスキャナ画像処理のブロック図
【図６】本発明のプリンタ画像処理のブロック図
【図７】画像形成装置の入出力デバイス外観図
【図８】画像形成装置の操作部外観図
【図９】本発明の操作部の送信画面の説明図
【図１０】本発明の操作部の送信画面の詳細説明図
【図１１】本発明の操作部のコピー画面の説明図
【図１２】本発明の操作部のボックス画面の説明図
【図１３】本発明の操作部のボックス画面の詳細説明図
【図１４】本発明のソフト構成を示すソフト構成図
【図１５】本発明の画像形成装置の画像送信時における処理フロー
【図１６】本発明の画像形成装置の画像形成におけるフロー図
【図１７】本発明の画像形成装置の同期暗号画像送信におけるフロー図
【図１】
2007036707.tif 000003
【図２】
2007036707.tif 000004
【図３】
2007036707.tif 000005
【図４】
2007036707.tif 000006
【図５】
2007036707.tif 000007
【図６】
2007036707.tif 000008
【図７】
2007036707.tif 000009
【図８】
2007036707.tif 000010
【図９】
2007036707.tif 000011
【図１０】
2007036707.tif 000012
【図１１】
2007036707.tif 000013
【図１２】
2007036707.tif 000014
【図１３】
2007036707.tif 000015
【図１４】
2007036707.tif 000016
【図１５】
2007036707.tif 000017
【図１６】
2007036707.tif 000018
【図１７】
2007036707.tif 000019